(57)【要約】【課題】光源部の部品点数が少なくかつ位置調整が容易なレーザ走査装置を得る。【解決手段】ベースホルダ８上でレーザダイオード１が光軸方向Ｘへ移動自在で、ＤＯＥ２との間隔が調整可能であり、ＤＯＥ２もベースホルダ８上を調芯方向Ｙ，Ｚ’へ移動自在でレーザダイオード１側で調芯する必要はなく、レーザダイオード１とＤＯＥ２の位置関係を調整できるレーザ走査装置。レーザダイオード１から放射されたレーザ光が主走査方向に略平行光となるように、レーザダイオード１とＤＯＥ２とが位置調整された状態でベースホルダ８に固定される。ベースホルダ８はハウジング上に光軸方向Ｘへ位置調整自在の状態で設置された後、ＤＯＥ２から出射されたレーザ光が偏向器に副走査方向Ｚに集光するように、光軸方向Ｘに位置調整され、固定される。【選択図】図３
2007334247.tif 000002
【特許請求の範囲】
【請求項１】
レーザダイオードと、
偏向器と、
前記レーザダイオードから放射されたレーザ光を主走査方向には略平行光とし、副走査方向には集光する機能を有する光学素子ユニットと、
前記レーザダイオードと前記光学素子ユニットを固定するためのベースホルダと、
前記偏向器と前記ベースホルダを設置するためのハウジングと、で構成したレーザ走査装置において、
前記ハウジングと前記ベースホルダとは別部品であり、
前記ベースホルダ上において、前記レーザダイオードは少なくとも光軸方向へ位置調整自在であり、かつ、前記光学素子ユニットは少なくとも二つの調芯方向へ位置調整自在であり、
前記レーザダイオードから放射されたレーザ光が主走査方向に略平行光となるように、前記レーザダイオードと前記光学素子ユニットが位置調整された状態で前記ベースホルダに固定され、
前記光学素子ユニットから出射されたレーザ光が前記偏向器に集光するように、前記ベースホルダが光軸方向に位置調整された状態で前記ハウジングに固定されていること、
を特徴とするレーザ走査装置。
【請求項２】
レーザダイオードと、
偏向器と、
前記レーザダイオードから放射されたレーザ光を主走査方向には略平行光とし、副走査方向には集光する機能を有する光学素子ユニットと、
前記光学素子ユニットのみを固定するための光学素子ホルダと、
前記レーザダイオードと前記偏向器と前記光学素子ホルダを設置するためのハウジングと、で構成したレーザ走査装置において、
前記ハウジングと前記光学素子ホルダとは別部品であり、
前記ハウジング上において、前記光学素子ホルダは光軸方向へ位置調整自在であり、前記レーザダイオードは少なくとも光軸方向へ位置調整自在であり、かつ、前記光学素子ユニットは少なくとも二つの調芯方向へ位置調整自在であり、
前記レーザダイオードから放射されたレーザ光が主走査方向に略平行光となるように、前記レーザダイオードと前記光学素子ユニットが位置調整され、
前記光学素子ユニットから出射されたレーザ光が前記偏向器に集光するように、前記光学素子ホルダと前記レーザダイオードが光軸方向に位置調整された状態で前記ハウジングに固定されていること、
を特徴とするレーザ走査装置。
【請求項３】
レーザダイオードと、
偏向器と、
前記レーザダイオードから放射されたレーザ光を主走査方向には略平行光とし、副走査方向には集光する機能を有する光学素子ユニットと、
前記レーザダイオードと前記偏向器と前記光学素子ユニットを設置するためのハウジングと、で構成したレーザ走査装置において、
前記ハウジング上において、前記レーザダイオードは少なくとも光軸方向へ位置調整自在であり、かつ、前記光学素子ユニットは少なくとも二つの調芯方向及び光軸方向へ位置調整自在であり、
前記レーザダイオードから放射されたレーザ光が主走査方向に略平行光となるように、前記レーザダイオードと前記光学素子ユニットが位置調整され、
前記光学素子ユニットから出射されたレーザ光が前記偏向器に集光するように、前記光学素子ユニットと前記レーザダイオードが光軸方向に位置調整された状態で前記ハウジングに固定されていること、
を特徴とするレーザ走査装置。
【請求項４】
前記光学素子ユニットが一体成形された一つの光学素子からなることを特徴とする請求項１ないし請求項３のいずれかに記載のレーザ走査装置。
【請求項５】
前記光学素子ユニットが回折面を含む回折光学素子からなることを特徴とする請求項４に記載のレーザ走査装置。
【発明の詳細な説明】
【技術分野】
【０００１】
本発明は、レーザ走査装置、特に、電子写真法による複写機、プリンタなどの画像形成装置に搭載されるレーザ走査装置に関する。
【背景技術】
【０００２】
従来、電子写真法による複写機、プリンタなどの画像形成装置に搭載されるレーザ走査装置として、特許文献１に記載されたものが知られている。このレーザ走査装置の光源部は、円筒状のコリメータレンズホールド部を有する一つのレーザダイオードホルダで構成されている。レーザダイオードホルダの一端部にはコリメータレンズが接着固定され、他端部にはレーザダイオードが圧入固定されている。そして、コリメータレンズに関して調芯方向及び光軸方向の調整を行ってハウジングに固定している。
【０００３】
図６を参照して、特許文献１に記載の光源部の調整を詳説する。図６（Ａ）は光源部１００の副走査方向Ｚの断面を示す光路図で、Ｙは主走査方向を示し、Ｘは光軸方向を示す。図６（Ｂ）はレーザダイオード１０１とコリメータレンズ１０２ａの位置調整を説明するための図、図６（Ｃ）はシリンドリカルレンズ１０２ｂと偏向器１０３の位置調整を説明するための図であり、いずれも副走査方向Ｚの断面として示している。
【０００４】
まず、レーザダイオード１０１の中心とコリメータレンズ１０２ａの光軸を位置合わせする調芯作業が行われる。これは副走査方向Ｚ及び主走査方向Ｙの調整であり、図６（Ｂ）において、点線でコリメータレンズ１０２ａが移動している様子が表示されている。さらに、レーザダイオード１０１とコリメータレンズ１０２ａとの間隔を調整し、コリメータレンズ１０２ａからのレーザ光が主副両方向Ｙ，Ｚで光軸に沿って平行光となるように調整する。平行光であるため、コリメータレンズ１０２ａから光軸方向Ｘには、レーザ光の状態は殆ど変化しない。そのため、ここまでの調整は後段のシリンドリカルレンズ１０２ｂなどには影響されない。
【０００５】
このような平行光発生部では、通常、レーザダイオード１０１の位置を基準にしてコリメータレンズ１０２ａの位置を調整するため、レーザダイオード１０１の位置調整は不要で、少なくともレーザダイオード１０１は光軸方向Ｘに位置調整を行っていない。
【０００６】
一方、図６（Ｃ）に示すように、シリンドリカルレンズ１０２ｂの位置調整は、偏向器１０３の表面の位置から所定の距離離れた位置に、機械的精度で傾きや芯ズレがないように設置される。シリンドリカルレンズ１０２ｂは、主走査方向Ｙには光学的なパワーを持たず、副走査方向Ｚの光学的なパワーもコリメータレンズ１０２ａよりも光軸方向Ｘのズレの感度が小さいため、機械的精度でも充分配置できる。この調整も前記平行光発生部に左右されることなく調整され、ハウジングに固定される。
【０００７】
この後、先に調整した平行光発生部の軸と、シリンドリカルレンズ１０２ｂの軸とを調芯して光源部の調整が完了する。このとき、平行光発生部とシリンドリカルレンズ１０２ｂとの距離に精度は不要であるため、基本的に平行光発生部全体の光軸方向調整は不要である。
【０００８】
また、特許文献２に記載されたレーザ走査装置が知られている。この装置の光源部は、レーザダイオードを圧入するレーザダイオードホルダの一部を光軸方向に延長し、このレーザダイオードホルダ上にコリメータレンズ、アパーチャ及びシリンドリカルレンズを同軸上に配置して接着固定したものである。
【０００９】
特許文献２に記載の光源部は一つのホルダで構成するため、部品点数を少なくできる。しかし、位置調整はコリメータレンズとシリンドリカルレンズの光学素子側のみで行うものであり、レーザダイオード側の位置調整は困難である。さらに、光学素子の下部を固定する構造であるため、光学素子の副走査方向を位置調整し安定して保持することは難しい。この結果、実質上、光学素子の位置調整は光軸方向と主走査方向のみで、副走査方向の位置調整はできない。従って、特許文献２に記載の光源部は、理想状態とは若干相違する状態でユニットとして組み立てられた後、これを設置するハウジング上で調整をして副走査方向の補正を行う必要がある。
【００１０】
コリメータレンズとシリンドリカルレンズを使用した光源部の場合、位置調整の精度として、１０μｍ未満を要求される。しかし、主走査方向と副走査方向とが光学的機能として独立しているため、相関関係や干渉の影響がなく、調整も容易に行うことができる。一方、コリメータレンズとシリンドリカルレンズの機能が一つの素子に集約されたＤＯＥ（Ｄｉｆｆｒａｃｔｉｖｅ  Ｏｐｔｉｃａｌ  Ｅｌｅｍｅｎｔ）を使用した光源部の場合、主副両方向の調芯方向のズレに相関関係があり、複雑に干渉する。従って、このような従来技術の延長線上では実用化が困難である。ＤＯＥについては特許文献３に詳しく開示されている。
【００１１】
また、他のレーザ走査装置の光源部として、レーザダイオードを固定したレーザダイオードホルダ、ＤＯＥを固定したＤＯＥホルダ、ベースホルダの三つの構成部品を相互にＹＡＧ溶接又はビス固定した後、ハウジングにビス固定したものが知られている。レーザダイオードホルダは二つの調芯方向（主走査及び副走査方向）に位置調整自在で、ＤＯＥホルダ及びベースホルダは光軸方向に位置調整自在である。
【００１２】
図７を参照して前記光源部について詳説する。図７は光源部１１０の模式的な側面図で、レーザダイオード１１１を保持するレーザダイオードホルダ１１７と、ＤＯＥ１１２を保持するＤＯＥホルダ１１９と、ベースホルダ１１８とを備えている。
【００１３】
レーザダイオードホルダ１１７は、二つの調芯方向Ｙ，Ｚに位置調整自在の状態でベースホルダ１１８に取り付けられている。ＤＯＥホルダ１１９は、光軸方向Ｘに位置調整自在の状態でベースホルダ１１８に取り付けられている。そして、レーザダイオード１１１とＤＯＥ１１２の位置関係が調整され固定された後、これを一つの光源ユニットとしてハウジング（図示せず）に設置する。その際、ベースホルダ１１８はハウジング上で光源ユニット全体を光軸方向Ｘに位置調整自在である。
【００１４】
このように、従来、ＤＯＥを使用する場合には、固定手段をＹＡＧ溶接又はビス固定としているため、レーザダイオード１１１にはレーザダイオードホルダ１１７が必要であり、ＤＯＥ１１２にはＤＯＥホルダ１１９が必要であり、さらにこれらをまとめるためのベースホルダ１１８が必要であった。このため、部品点数が多くなるという問題点があった。
【００１５】
さらに、ＹＡＧ溶接では、溶接に適した金属材料を選定する必要があり、安く形状安定性のよい金属材料や形状設計技術、ＹＡＧ溶接による高精度固定技術、金属と光学素子との接着固定技術が要求される。
【００１６】
そこで、ＹＡＧ溶接の一部をビス固定に変更し、ホルダの設計や製作の負担を軽減することが考えられる。しかし、ビス固定によって高位置精度を得るためには作業者の微妙な感覚あるいは経験に頼らざるを得ないなど、新たな問題点が発生する。
【００１７】
また、レーザダイオード１１１を基準にしてＤＯＥ１１２の光軸方向Ｘの位置調整をしているため、レーザダイオード１１１とＤＯＥ１１２とで分割したホルダ構成が必要である。さらに、これらを一体的に固定した後、ハウジングに対しても位置調整可能なホルダ構成が必須であり、従来の調整のままでは、ホルダ分割数を減らすことができない。
【特許文献１】特開２００２−２４４０６２号公報
【特許文献２】特開平９−２１８３６８号公報
【特許文献３】特開２００２−２８７０６２号公報
【発明の開示】
【発明が解決しようとする課題】
【００１８】
そこで、本発明の目的は、光源部の部品点数が少なくかつ位置調整が容易なレーザ走査装置を提供することにある。
【課題を解決するための手段】
【００１９】
前記目的を達成するため、第１の発明は、
レーザダイオードと、偏向器と、前記レーザダイオードから放射されたレーザ光を主走査方向には略平行光とし、副走査方向には集光する機能を有する光学素子ユニットと、前記レーザダイオードと前記光学素子ユニットを固定するためのベースホルダと、前記偏向器と前記ベースホルダを設置するためのハウジングと、で構成したレーザ走査装置において、
前記ハウジングと前記ベースホルダとは別部品であり、
前記ベースホルダ上において、前記レーザダイオードは少なくとも光軸方向へ位置調整自在であり、かつ、前記光学素子ユニットは少なくとも二つの調芯方向へ位置調整自在であり、
前記レーザダイオードから放射されたレーザ光が主走査方向に略平行光となるように、前記レーザダイオードと前記光学素子ユニットが位置調整された状態で前記ベースホルダに固定され、
前記光学素子ユニットから出射されたレーザ光が前記偏向器に集光するように、前記ベースホルダが光軸方向に位置調整された状態で前記ハウジングに固定されていること、
を特徴とする。
【００２０】
以上の構成により、部品点数はレーザダイオード、光学素子ユニット及びベースホルダの３点となる。そして、レーザダイオードと光学素子ユニットとの位置関係が理想に近い状態に位置調整されて固定された後、ハウジングに対してベースホルダの光軸方向のみの位置調整で済む。
【００２１】
第２の発明は、
レーザダイオードと、偏向器と、前記レーザダイオードから放射されたレーザ光を主走査方向には略平行光とし、副走査方向には集光する機能を有する光学素子ユニットと、前記光学素子ユニットのみを固定するための光学素子ホルダと、前記レーザダイオードと前記偏向器と前記光学素子ホルダを設置するためのハウジングと、で構成したレーザ走査装置において、
前記ハウジングと前記光学素子ホルダとは別部品であり、
前記ハウジング上において、前記光学素子ホルダは光軸方向へ位置調整自在であり、前記レーザダイオードは少なくとも光軸方向へ位置調整自在であり、かつ、前記光学素子ユニットは少なくとも二つの調芯方向へ位置調整自在であり、
前記レーザダイオードから放射されたレーザ光が主走査方向に略平行光となるように、前記レーザダイオードと前記光学素子ユニットが位置調整され、
前記光学素子ユニットから出射されたレーザ光が前記偏向器に集光するように、前記光学素子ホルダと前記レーザダイオードが光軸方向に位置調整された状態で前記ハウジングに固定されていること、
を特徴とする。
【００２２】
以上の構成により、部品点数はレーザダイオード、光学素子ユニット及び光学素子ホルダの３点となる。そして、レーザダイオードと光学素子ユニットとの位置関係が理想に近い状態に位置調整された後、ハウジングに対してレーザダイオードと光学素子ホルダの光軸方向のみの位置調整で済む。
【００２３】
第３の発明は、
レーザダイオードと、偏向器と、前記レーザダイオードから放射されたレーザ光を主走査方向には略平行光とし、副走査方向には集光する機能を有する光学素子ユニットと、前記レーザダイオードと前記偏向器と前記光学素子ユニットを設置するためのハウジングと、で構成したレーザ走査装置において、
前記ハウジング上において、前記レーザダイオードは少なくとも光軸方向へ位置調整自在であり、かつ、前記光学素子ユニットは少なくとも二つの調芯方向及び光軸方向へ位置調整自在であり、
前記レーザダイオードから放射されたレーザ光が主走査方向に略平行光となるように、前記レーザダイオードと前記光学素子ユニットが位置調整され、
前記光学素子ユニットから出射されたレーザ光が前記偏向器に集光するように、前記光学素子ユニットと前記レーザダイオードが光軸方向に位置調整された状態で前記ハウジングに固定されていること、
を特徴とする。
【００２４】
以上の構成により、部品点数はレーザダイオード及び光学素子ユニットの２点となる。そして、レーザダイオードと光学素子ユニットとハウジングの位置関係が理想に近い状態に位置調整される。
【００２５】
第１、第２及び第３の発明に係るレーザ走査装置において、前記光学素子ユニットとしては回折面を含む回折光学素子（ＤＯＥ）などのように、一体成形された一つの光学素子を含むものであることが好ましい。
【発明の効果】
【００２６】
本発明によれば、部品点数を削減して製造コストを低減させながら、従来と同等の性能を達成でき、各光学部品の位置調整も容易である。
【発明を実施するための最良の形態】
【００２７】
以下に、本発明に係るレーザ走査装置の実施例について添付図面を参照して説明する。
【００２８】
図１はレーザ走査装置２０の概略構成を示し、このレーザ走査装置２０は、レーザダイオード１と、光学素子ユニット２と、偏向器３と、走査レンズ４ａ，４ｂと、カバーガラス５と、これらの部品を納めるハウジング（図示せず）とで構成されている。
【００２９】
レーザダイオード１から放射されたレーザ光は、光学素子ユニット２を透過して偏向器３で反射され、走査レンズ４ａ，４ｂ及びカバーガラス５を透過して感光体ドラム２１に照射される。偏向器３が矢印方向に回転することにより、レーザダイオード１からのレーザ光は感光体ドラム２１上を主走査方向Ｙに走査することになる。
【００３０】
図２に示すように、光学素子ユニット２は、レーザ光を主走査方向Ｙには略平行光とし、副走査方向Ｚには集光する機能を有する。図２では、光学素子ユニット２として、コリメータレンズ２ａとシリンドリカルレンズ２ｂが一つのホルダ２ｃに一体的に固定されたものを示している。なお、光学素子ユニット２はこれに限るものではなく、例えば、回折素子と反射素子を樹脂により一体成形したＤＯＥを用いてもよい。
【００３１】
従来の光源部と異なるのは、光学素子ユニット２が二つのレンズ２ａ，２ｂを一体化した点であるため、例えば、偏向器３に対して光学素子ユニット２を機械的精度で位置決めすると、コリメータレンズ機能の影響で位置決め精度が足らず、位置調整不良になる。
【００３２】
そのため、光学素子ユニット２の調芯作業やレーザダイオード１と光学素子ユニット２の位置関係の調整には、前述した従来の平行光発生部と同程度の位置調整が必要である。さらに、光学素子ユニット２の光軸方向Ｘの位置は偏向器３を基準に決まるため、それに合わせてレーザダイオード１を位置調整しなければならない。つまり、二つのレンズ２ａ，２ｂを一体化した光学素子ユニット２を使用した場合には、レーザダイオード１が光軸方向Ｘへ位置調整自在であることが不可欠である。
【００３３】
例えば、レーザダイオード１と光学素子ユニット２とを取り出して、光学性能を満足する位置に調整したとしても、これをハウジングに設置して偏向器３の位置で光学性能を満足するようにするには、レーザダイオード１と光学素子ユニット２とを一体又は一体化相当に構成して光軸方向Ｘへ位置調整自在であることが必要である。
【００３４】
より具体的に、光学素子ユニット２としてＤＯＥを使用した光源部の第１例について、図３を参照して詳説する。
【００３５】
この第１例は、レーザダイオード１、ＤＯＥ２及びベースホルダ８にて構成されている。レーザダイオード１は、光軸方向Ｘへ位置調整自在の状態でベースホルダ８の凹部８ａに直接設置される。ＤＯＥ２は、二つの調芯方向Ｙ，Ｚ’へ位置調整自在の状態でベースホルダ８の傾斜面上に直接設置される。
【００３６】
ベースホルダ８上でレーザダイオード１が光軸方向Ｘへ移動自在であるため、ＤＯＥ２との間隔が調整可能である。さらに、ＤＯＥ２もベースホルダ８上を二つの調芯方向Ｙ，Ｚ’へ移動自在であるため、レーザダイオード１側で調芯する必要はなく、レーザダイオード１とＤＯＥ２の位置関係を調整できる。こうして、レーザダイオード１からのレーザ光が主走査方向Ｙに略平行光となるように、レーザダイオード１とＤＯＥ２とが位置調整された状態でベースホルダ８に固定され、光源ユニットとされる。レーザダイオード１とＤＯＥ２は、例えば、ＵＶ硬化タイプの接着剤にて固定される。
【００３７】
ベースホルダ８（光源ユニット）は、ベースホルダ８とは別部品のハウジング上に、光軸方向Ｘへ位置調整自在の状態で設置された後、ＤＯＥ２からのレーザ光が偏向器３に副走査方向Ｚに集光するように、光軸方向Ｘに位置調整され、例えば、ＵＶ硬化タイプの接着剤にて固定される。
【００３８】
以上の構成により、部品点数はレーザダイオード１、ＤＯＥ２及びベースホルダ８の３点となり、部品点数を削減して製造コストを低減させながら、従来と同等の性能を達成できる。さらに、レーザダイオード１とＤＯＥ２との位置関係を理想に近い状態に位置調整して固定した後、ハウジングに対してベースホルダ８の光軸方向Ｘのみの位置調整で済むので、位置調整も容易な光源部が得られる。
【００３９】
次に、光源部の第２例について、図４を参照して詳説する。この第２例において、レーザダイオード１は、光軸方向Ｘへ位置調整自在の状態でハウジング１０の凹部１０ａに直接設置される。ＤＯＥ２は、二つの調芯方向Ｙ，Ｚ’へ位置調整自在の状態でＤＯＥホルダ９の傾斜面上に直接設置される。さらに、ＤＯＥホルダ９は、ハウジング１０上に光軸方向Ｘへ位置調整自在の状態で設置される。
【００４０】
ハウジング１０上でレーザダイオード１が光軸方向Ｘへ移動自在であるため、ＤＯＥ２との間隔が調整可能である。さらに、ＤＯＥ２もＤＯＥホルダ９上を二つの調芯方向Ｙ，Ｚ’へ移動自在であるため、レーザダイオード１側で調芯する必要はなく、レーザダイオード１とＤＯＥ２の位置関係を調整できる。即ち、レーザダイオード１からのレーザ光が主走査方向Ｙに略平行光となるように、レーザダイオード１とＤＯＥ２とが位置調整される。この時点で、レーザダイオード１はハウジング１０に固定せず、ＤＯＥ２のみＤＯＥホルダ９に、例えば、ＵＶ硬化タイプの接着剤にて固定される。
【００４１】
さらに、ＤＯＥ２とレーザダイオード１を、光軸方向Ｘに同じ距離だけ移動させて、ＤＯＥ２からのレーザ光が偏向器３に副走査方向Ｚに集光するように調整した後、レーザダイオード１とハウジング１０、並びに、ＤＯＥホルダ９とハウジング１０が、例えば、ＵＶ硬化タイプの接着剤にて固定される。
【００４２】
以上の構成により、部品点数はレーザダイオード１、ＤＯＥ２及びＤＯＥホルダ９の３点となり、部品点数を削減して製造コストを低減させながら、従来と同等の性能を達成できる。さらに、レーザダイオード１とＤＯＥ２との位置関係を理想に近い状態に位置調整した後、ハウジング１０に対してレーザダイオード１の光軸方向ＸとＤＯＥホルダ９の光軸方向Ｘのみの位置調整で済むので、位置調整も容易な光源部が得られる。
【００４３】
次に、光源部の第３例について、図５を参照して詳説する。この第３例において、レーザダイオード１は、光軸方向Ｘへ位置調整自在の状態でハウジング１０の凹部１０ａに直接設置される。ＤＯＥ２は、二つの調芯方向Ｙ，Ｚ及び光軸方向Ｘへ位置調整自在の状態でハウジング１０の凹部１０ｂに直接設置される。
【００４４】
ハウジング１０上でレーザダイオード１が光軸方向Ｘへ移動自在であるため、ＤＯＥ２との間隔が調整可能である。さらに、ＤＯＥ２もハウジング１０上を二つの調芯方向Ｙ，Ｚへ移動自在であるため、レーザダイオード１側で調芯する必要はなく、レーザダイオード１とＤＯＥ２の位置関係を調整できる。即ち、レーザダイオード１からのレーザ光が主走査方向Ｙに略平行光となるように、レーザダイオード１とＤＯＥ２とが位置調整される。この時点で、レーザダイオード１とＤＯＥ２はハウジング１０に固定しない。
【００４５】
さらに、ＤＯＥ２とレーザダイオード１を、光軸方向Ｘに同じ距離だけ移動させて、ＤＯＥ２からのレーザ光が偏向器３に副走査方向Ｚに集光するように調整した後、レーザダイオード１とハウジング１０、並びに、ＤＯＥ２とハウジング１０が、例えば、ＵＶ硬化タイプの接着剤にて固定される。
【００４６】
以上の構成により、部品点数はレーザダイオード１及びＤＯＥ２の２点となり、部品点数を削減して製造コストを低減させながら、従来と同等の性能を達成できる。さらに、レーザダイオード１とＤＯＥ２とハウジング１０の位置関係を理想に近い状態に位置調整できる。
【００４７】
なお、本発明に係るレーザ走査装置は、前記実施例に限定するものではなく、その要旨の範囲内で種々に変更することができる。
【００４８】
例えば、レーザ走査装置の走査系（レンズ４ａ，４ｂ）などの構成、配置は任意である。
【図面の簡単な説明】
【００４９】
【図１】レーザ走査装置の一例を示す概略斜視図である。
【図２】レーザ走査装置の光源部の調整方法を説明するための構成図で、副走査方向の断面を示す。
【図３】光源部の第１例を示し、（Ａ）は側面図、（Ｂ）は平面図である。
【図４】光源部の第２例を示し、（Ａ）は側面図、（Ｂ）は平面図である。
【図５】光源部の第３例を示し、（Ａ）は側面図、（Ｂ）は平面図である。
【図６】従来のレーザ走査装置の光源部を示し、（Ａ）は副走査方向断面の光路図、（Ｂ），（Ｃ）は光源部の調整方法を説明するための図である。
【図７】従来の光源部を示す側面図である。
【符号の説明】
【００５０】
１…レーザダイオード
２…光学素子ユニット（ＤＯＥ）
３…偏向器
８…ベースホルダ
９…ＤＯＥホルダ
１０…ハウジング
２０…レーザ走査装置
Ｘ…光軸方向
Ｙ…主走査方向
Ｚ…副走査方向
【図１】
2007334247.tif 000003
【図２】
2007334247.tif 000004
【図３】
2007334247.tif 000005
【図４】
2007334247.tif 000006
【図５】
2007334247.tif 000007
【図６】
2007334247.tif 000008
【図７】
2007334247.tif 000009